(57)【要約】【課題】水に微弱エネルギーを付与することにより作成された機能水を正確かつ再現性よく検出する方法および検出装置を提供する。【解決手段】水に微弱エネルギーを付与した機能水の検出方法であって、  液体ホルダーに試料を封入し、前記液体ホルダーを一定圧のエアを用いて圧締することにより試料層の圧力を一定にし、該液体ホルダーに遠赤外線領域のレーザを透過させ、その吸収量を測定することを特徴とする機能水の検出方法およびその検出装置。【選択図】図３
2006292606.tif 000002
【特許請求の範囲】
【請求項１】
水に微弱エネルギーを付与した機能水の検出方法であって、
液体ホルダーに試料を封入し、
前記液体ホルダーを一定圧のエアを用いて圧締することにより試料層の圧力を一定にし、該液体ホルダーに遠赤外線領域のレーザを透過させ、その吸収量を測定することを特徴とする機能水の検出方法。
【請求項２】
前記液体ホルダーに、前記レーザに代えて高周波電磁場を透過させ、その誘電率を測定することを特徴とする請求項１に記載の機能水の検出方法。
【請求項３】
水に微弱エネルギーを付与した機能水の検出装置であって、
試料を封入する液体ホルダーの窓材を２層構造としてその間に試料層を設け、前記液体ホルダーを一定圧のエアを用いて圧締することにより試料層の圧力を調整する圧力調整装置を設け、
該液体ホルダーに遠赤外線領域のレーザを透過させ、その吸収量を測定するレーザ吸収量測定装置を設けることを特徴とする機能水の検出装置。
【請求項４】
前記液体ホルダーに前記レーザに代えて高周波電磁場を透過させ、その誘電率を測定する誘電率測定装置を設けることを特徴とする請求項３に記載の機能水の検出装置。
【発明の詳細な説明】
【技術分野】
【０００１】
本発明は、水に微弱エネルギーを付与することにより作成された機能水の検出方法および検出装置に関する。
【背景技術】
【０００２】
機能水とは、水に微弱エネルギーを付与することにより作成されるもので、具体的な処理方法としては、磁場処理法、電磁場処理法、超音波処理法、電気分解処理法、ミネラル処理法、遠赤外線処理法（セラミックス処理等）などさまざまな方法が知られている。
例えば、特開平１０―５７５１号公報には、水の中に遠赤外線放射率の極めて高いセラミックスを浸漬することにより、水分子の分子構造を小さくして比熱容量や熱伝導率を高めた水が開示されている。
【０００３】
また、一般的に水を評価する方法としては、X線回折、ラマン散乱、NMR、中性子準弾性・非弾性散乱、超音波吸収、誘電緩和（インピーダンス測定法、マイクロ波分光法、TDR法、赤外・可視・紫外吸収法）などさまざまな方法が報告されており、ここ数年間はNMR（核磁気共鳴法）の半値幅が機能水では小さく検出でき、機能水の測定に関し適しているとされ、数多くの研究者に愛用されてきた。
しかし、NMRの半値幅はpHの影響を受けるので、水道水のような不純物の多い水の評価には不適である。また、磁気活性器より強い磁場をかけるので、NMR測定では、常に磁気処理水を測定していることになっており、仮に磁気処理の結果、水に物理的な違いが生じたとしても、それを測定して磁気処理しない水と比較するためにNMRは使用できないことが判明し、この技術でさえ最近では使用できないとされており、従来の水の評価方法では機能水の評価は困難とされているのが実情である。
【０００４】
このような中で、現在で報告されている機能水の物理現象として、pHや酸化還元電位などの変化、更には、溶存酸素濃度、表面張力、粘度などが低下することも報告されている。
そこで、本発明者等は、実際に従来技術で本当に測定できないのかを自分たちの目で確認するために簡便な方法ではあるが基礎実験を行った。
具体的には、セラミックス処理水を使用して、測定方法面ではインピーダンス測定法、TDR法、赤外吸収法（遠赤、近赤）などを試してみたが、機能水と純水とで、全く有意差が見られなかった。
ここで、赤外線吸収法について更に説明を付け加えると、赤外線吸収法にはよく使用される方法として透過法、ATR法があり、その各々の方法についても試してみた。
【０００５】
まず、透過法について、液体ホルダーの構造を、窓材（CaF2）＋スペーサ（試料層）＋窓材（CaF2）の窓材2層構造とし、スペーサ部に水を入れレーザを透過させて測定する方法を試みた。水を入れる小隙間の厚みはスペーサの厚みで保証されており水には圧力はほとんどかかっていない。この測定方法を用いて相当数測定を行ったが全く有意差は見られなかった。
次に、ATR法について、結晶（ZnSe）の上に水をのせ、結晶中をレーザが反射して進行していく際に、その反射部のもぐり込み深さ分で水の吸収を測定する方法を用いて相当数測定を行ったが全く有意差は見られなかった。
また、物理現象面では表面張力、粘度など試してみたが有意差があったとしても誤差の範囲であり再現性にも乏しく測定装置として使用できないことを再確認した。
以上のように、機能水の評価に関しては従来の知見通りこれらの測定技術をもってしても困難で、また、測定できたとしても再現性に乏しい等、機能水の評価に適した技術は存在しなかった。
【特許文献１】特開平１０―５７５１号公報
【発明の開示】
【発明が解決しようとする課題】
【０００６】
そこで、本発明は、水に微弱エネルギーを付与することにより作成された機能水を正確かつ再現性よく検出する方法および検出装置を提供することを課題とする。
【課題を解決するための手段】
【０００７】
本発明は、従来の透過法を改善することによって、水に微弱エネルギーを付与することにより作成された機能水を正確かつ再現性よく検出する方法および検出装置を提供するものであり、その要旨とするところは、特許請求の範囲に記載した通りの下記内容である。
【０００８】
（１）水に微弱エネルギーを付与した機能水の検出方法であって、
液体ホルダーに試料を封入し、
前記液体ホルダーを一定圧のエアを用いて圧締することにより試料層の圧力を一定にし、該液体ホルダーに遠赤外線領域のレーザを透過させ、その吸収量を測定することを特徴とする機能水の検出方法。
（２）前記液体ホルダーに、前記レーザに代えて高周波電磁場を透過させ、その誘電率を測定することを特徴とする（１）に記載の機能水の検出方法。
（３）水に微弱エネルギーを付与した機能水の検出装置であって、
試料を封入する液体ホルダーの窓材を２層構造としてその間に試料層を設け、前記液体ホルダーを一定圧のエアを用いて圧締することにより試料層の圧力を調整する圧力調整装置を設け、
該液体ホルダーに遠赤外線領域のレーザを透過させ、その吸収量を測定するレーザ吸収量測定装置を設けることを特徴とする機能水の検出装置。
（４）前記液体ホルダーに前記レーザに代えて高周波電磁場を透過させ、その誘電率を測定する誘電率測定装置を設けることを特徴とする（３）に記載の機能水の検出装置。
【発明の効果】
【０００９】
本発明によれば、従来の透過法を改善することによって、水に微弱エネルギーを付与することにより作成された機能水を正確かつ再現性よく検出する方法および検出装置を提供することができ、機能水の定量的な評価ができることによって、鉄鋼業をはじめ、食品製造業、医療分野などにおいても水の管理、更には、機能水の設計などに活用することができ品質管理・向上への期待は大きく、産業上有用な著しい効果を奏する。
【発明を実施するための最良の形態】
【００１０】
本発明を実施するための最良の形態を図１乃至図４を用いて詳細に説明する。
図１は、本発明における機能水の検出方法の実施形態を例示する図である。
図１において、例えば、光源から発振された単波長のHe-Neレーザ（λ＝639nm）は、固定ミラーと移動ミラーを使用した干渉計によって、波に干渉を発生させて多波長の出力光に変換する。
この多波長の出力光を、試料を封入した液体ホルダーに透過し、レーザ吸収量測定装置によって、透過しない比較光との吸収量の差を測定する。
レーザ吸収量測定装置は、検出器およびフーリエ変換装置から構成されており、検出された多波長出力光の受光強度をフーリエ変換して演算することによって、レーザの波長に対応した吸収量を出力することができる。
【００１１】
図２は、従来の機能水の検出方法に使用していた液体ホルダーを例示する図である。
図２において、１は窓材、２は試料層用スペーサ、３は押え用スペーサ、４は  外部ケース、５は蓋を示す。
図２に示すように、従来の液体ホルダーは、試料層用スペーサ２および押え用スペーサ３によって、測定基準として試料層２の厚さを一定にして測定していた。
しかし、この場合、試料に働く圧力は一定とは限らないため、レーザ吸収量の測定結果には、試料に働く圧力の影響が含まれており、正確な評価ができなかった。
【００１２】
図３は、本発明における機能水の検出方法の実施形態を例示する図である。
図３において、１は窓材、４は外部ケース、５は蓋、６は試料層、７は圧締用スペーサ、８はゴムパッキン固定用スペーサ、９はゴムパッキン、１０はエアー供給口を示す。
本実施形態は、液体ホルダーを構成する窓材１を２層構造としその間に試料層６を設け、試料層６にかかる圧力を一定に調整できる圧力調整装置を設けることにより、機能水を検出する方法である。
この圧力調整装置は、図３に示すように、圧締用スペーサ７、ゴムパッキン固定用スペーサ８、ゴムパッキン９、エアー供給口１０から構成されており、図示されていないコンプレッサーなどのエアー源から一定圧力（例えば1〜5気圧程度であるが純水、水道水、水混合物など被測定物により最適値を事前測定で決定しておけば良い）のエアーをエアー供給口１０に供給し、このエアーがゴムパッキン９を押すことによって、圧締用スペーサ７を介して液体ホルダーを圧締して試料層６を一定圧力にすることができる。
また、圧締用スペーサ７は、エアーによる圧締力を分散させるものであり、樹脂製とすることが好ましいが窓材の圧締において窓材を損傷させないものであればこれに限ることはない。
【００１３】
ここで、窓材１はCaF2が好ましいが水に対して不溶性、難溶性のものであればこれに限ることはない。
また、透過するレーザの周波数は例えば１０12〜１０13の遠赤外線領域のレーザとする。
なお、遠赤外線領域で水の主な吸収波長は3μｍ（伸縮運動）、6μｍ（変角運動）10μｍ以上（束縛回転運動）等がある。
また、レーザの代わりに、高周波電磁波を透過させ、誘電率を測定する誘電率測定装置を設けることにより、電磁波共振現象を利用した誘電率測定原理と上記液体ホルダーを組み合わせることにより機能水を検出することができる。
高周波電磁波は、例えば、周波数が１０9〜１０10程度で、波長がセンチメートル単位のマイクロ波を用いることが好ましい。
【実施例】
【００１４】
本発明の機能水の検出方法を下記条件にて実験した結果を以下に示す。
＜実験条件＞
1)測定装置：FT-IR（フーリエ変換赤外分光光度計：堀場製作所、FT-720形）
2)測定方法：透過法
(1)液体ホルダーは窓材２層構造（窓材＋試料層＋窓材）
(2)窓材はCaF2を使用
(3)圧締力は2.5（kg/cm２）で測定
（1.5→2.0→2.5→3.0→3.5→4.0と圧締力を変更させて2.5付近まで    は次第に検出バラツキも少なく検出感度が大きくなり、3.0以上は検出バ    ラツキが大きくなったので2.5で測定することに決定。）
3)試料：純水、機能水（1リットルの容器に直径2ｃｍ程度のセラミックボールを10ケ程度入れ数分攪拌して作成）
【００１５】
図４は、本発明の検出方法によるレーザ波長とレーザ吸収量の関係を模式的に示した図である。
図４に示すように、レーザ波長λ＝３μｍと、レーザ波長λ＝６μｍの位置でレーザ吸収量がピーク値を示しているが、レーザ波長λ＝6μｍのほうが、機能水と純水とのレーザ吸収量の差が明確に表れる。よって、単波長λ＝6μｍのレーザを図３に示す圧力調整装置を備えた液体ホルダーに透過させその吸収量から機能水を検出することが好ましい。
【００１６】
この実験の結果から、従来の測定方法である透過法（窓材2層構造）やATR法では測定の結果有意差が現れなかったが、本発明の透過法では有意差（吸光度で約2倍程度の差）が見られた。これらの測定方法の違いからこの吸光度の差が生じた原因を推定してみることにした。
まず、吸光度の差として現れる原因として測定原理面から、１）水層の厚みの差、２）水層にかかる圧力起因で発生する光の水中での減衰率の違いのどちらかが原因であると考えた。そこで我々は、水層の厚みの差を干渉縞から計算を行ったところ、0.1μｍ程度機能水の方が厚いことが判明したものの、純水の水層の厚みは0.6μｍ程度であるので、吸光度で約2倍程度の差が見られていることから、後者が主要因であると断定した。圧力をかけることによってこの減衰率の差がなぜ発生するのかはまだ解明できていないが、1μｍ程度また、それ以下の薄膜状態において、圧力がかかることで、吸光度に変化が生じていることが確認できた。
【図面の簡単な説明】
【００１７】
【図１】本発明における機能水の検出方法の実施形態を例示する図である。
【図２】従来の機能水の検出方法に使用していた液体ホルダーを例示する図である。
【図３】本発明における機能水の検出方法の実施形態を例示する図である。
【図４】本発明の検出方法によるレーザ波長とレーザ吸収量の関係を模式的に示した図である。
【符号の説明】
【００１８】
１  窓材
２  試料層用スペーサ
３  押え用スペーサ
４  外部ケース
５  蓋
６  試料層
７  層圧締用スペーサ
８  ゴムパッキン固定用スペーサ
９  ゴムパッキン
１０  エアー供給口
【図１】
2006292606.tif 000003
【図２】
2006292606.tif 000004
【図３】
2006292606.tif 000005
【図４】
2006292606.tif 000006